(57)【要約】【課題】  筐体上下に配置されるファンモータの部品共通化を図り、誤組立防止を行うとともに、電装品箱による通風抵抗の増大を防止できる床置型空気調和機を提供することを目的とする。【解決手段】  吸込口２ａの裏面中央に細長矩形状の電装品箱１４を配置させることにより、上下に配設された送風ファン１２、１３のファンモータ１５、１６から導出され電装品箱１４に接続されるリード線の長さを等しくして、ファンモータ１５、１６が共通して使用できるようにする。これにより、誤組立の低減とともに部品コストの低減をはかる。また、電装品箱１４を細長矩形状に形成し、流入する空気の上下二層流の境界部位に位置させることにより通風抵抗の増加も極力防止する。【選択図】図２
2008309368.tif 000002
【特許請求の範囲】
【請求項１】
本体の前面中央に吸込口を備えるとともに、同吸込口の上下に上部吹出口と下部吹出口とを備え、前記吸込口と前記上部吹出口及び下部吹出口とを結ぶ空気流路に、熱交換器と、前記上部吹出口に対向して上部送風ファンと、前記下部吹出口に対向して下部送風ファンとを設け、前記本体の一側上部に前記上部送風ファンを駆動する上部ファンモータを、前記本体の他側下部に前記下部送風ファンを駆動する下部ファンモータを夫々設け、本体内部に前記ファンモータを制御する制御基板を収納した電装品箱を設けてなる空気調和機において、
前記電装品箱は、前記吸込口の裏面であって、前記上部ファンモータと前記下部ファンモータとの中間位置に配置されてなることを特徴とする空気調和機。
【請求項２】
前記熱交換器は、上下に分離された上部熱交換器と下部熱交換器とからなり、前記上部熱交換器は、上端部より下端部が後方に位置するよう形成され、前記下部熱交換器は、下端部より上端部が後方に位置するよう形成されてなることを特徴とする請求項１に記載の空気調和機。
【発明の詳細な説明】
【技術分野】
【０００１】
本発明は、空気調和機に係わり、より詳細には、本体内に上下二段にクロスフローファンを備えた床置型のものに関する。
【背景技術】
【０００２】
従来の床置型の空気調和機２０は、図６（Ａ）の正面からの説明図及び図６（Ｂ）の断面側面図で示すように、本体２０ａの前面中央に吸込口２１を備えるとともに、前面上部に上部吹出口２２を、前面下部に下部吹出口２３を夫々備えており、前記本体２０ａ内には熱交換器２４と、上下二段に配置された上部クロスフローファン２５及び下部クロスフローファン２６と、制御基板を収納した電装品箱２７等が設けられている。
【０００３】
前記吸込口２１から吸込まれた室内の空気は、熱交換器２４を通過することにより熱交換され、熱交換された空気は前記上部クロスフローファン２５により前記上部吹出口２２から、また、下部クロスフローファン２６により前記下部吹出口２３から夫々室内に送出されるようになっている。
【０００４】
前部上部クロスフローファン２５及び下部クロスフローファン２６の各々の回転方向は逆方向となるが、これらを駆動するファンモータの回転方向を同方向とするため、前記上部クロスフローファン２５を駆動する上部ファンモータ２８は、図６（Ａ）で示すように、本体２０ａの右側上部に配置され、前記下部クロスフローファン２６を駆動する下部ファンモータ２９は本体２０ａの左側下部に配置されている。また、本体２０ａの右側下部には、前記熱交換器２４等に接続される配管収納部３０が設けられており、これを避けるため、前記ファンモータ２８及び前記ファンモータ２９等を駆動制御する電装品箱２７は、配管収納部３０の上方に配置されている。
【０００５】
電装品箱２７が本体２０ａの上方端部に配置されているため、前記上部ファンモータ２８と前記下部ファンモータ２９から導出され、前記電装品箱２７に接続されるリード線２８ａ及びリード線２９ａは夫々長さが異なることとなり、例えば、空気調和機２０の組立作業において、作業者は本体２０ａへのファンモータの誤装着、誤組立をしないよう注意を払う必要があり、また、各々のファンモータを別部品として扱うことにより管理が煩雑なものとなっていた。また、電装品箱２７が本体２０ａの上方端部に配置されていることにより、熱交換器２４の幅が狭まることとなり、空気調和機としての性能にも影響を与えることとなっていた。
【発明の開示】
【発明が解決しようとする課題】
【０００６】
本発明は、上記問題点に鑑み、床置型の空気調和機において、上部ファンモータと下部ファンモータとから導出され電装品箱に接続されるリード線の長さを共通化することにより、ファンモータの共通化を図り、誤装着及び誤組立防止を図れるようにした床置型の空気調和機を提供することを目的とする。
【課題を解決するための手段】
【０００７】
本発明は、上記課題を解決するため、本体の前面中央に吸込口を備えるとともに、同吸込口の上下に上部吹出口と下部吹出口とを備え、前記吸込口と前記上部吹出口及び下部吹出口とを結ぶ空気流路に、熱交換器と、前記上部吹出口に対向して上部送風ファンと、前記下部吹出口に対向して下部送風ファンとを設け、前記本体の一側上部に前記上部送風ファンを駆動する上部ファンモータを、前記本体の他側下部に前記下部送風ファンを駆動する下部ファンモータを夫々設け、本体内部に前記ファンモータを制御する制御基板を収納した電装品箱を設けてなる空気調和機において、前記電装品箱は、前記吸込口の裏面であって、前記上部ファンモータと前記下部ファンモータとの中間位置に配置されてなる構成となっている。
【０００８】
また、前記熱交換器は、上下に分離された上部熱交換器と下部熱交換器とからなり、前記上部熱交換器は、上端部より下端部が後方に位置するよう形成され、前記下部熱交換器は、下端部より上端部が後方に位置するよう形成されてなる構成となっている。
【発明の効果】
【０００９】
本発明によると、吸込口の裏面であって、上下に配設された各々のファンモータの中間位置に電装品箱を配置させることにより、ファンモータから電装品箱に接続されるリード線の長さを同一にできファンモータの部品共通化をはかることができるようになっている。これにより、ファンモータを本体に誤装着してしまう等の不具合発生を防ぐとともに、部品共通化によるコストの低減もはかれるようになっている。
【発明を実施するための最良の形態】
【００１０】
以下、本発明の実施の形態を、添付図面に基づいた実施例として詳細に説明する。
【実施例１】
【００１１】
図１は本発明による床置型の空気調和機を示す外観斜視図であり、図２〜図４は第一実施例を示す図である。図２は断面側面図であり、図３は要部斜視図であり、図４は電装品箱とファンモータとの接続を示す説明図である。また、図５は第二実施例を示す断面側面図である。
【００１２】
本発明による床置型の空気調和機１は、図１で示すように、前後寸法が狭い薄型状に形成された本体の前面に前面パネル２を設け、同前面パネル２の中央に室内空気を吸入する吸込口２ａを形成する一方、同吸込口２ａの上方に上部吹出口６を、下方に下部吹出口７を夫々形成している。。本体両側には前記前面パネル２を挟持するように縦長状に形成されたパネルＲ３とパネルＬ４が設けられ、本体背面には、前面が開放された矩形状の背面パネル５が設けられている。また、前記上部吹出口６と前記吸込口２ａとの間には、運転状態を表示する複数のＬＥＤ等からなる表示部８が設けられている。
【００１３】
前記吸込口２ａの裏面には、図２の断面側面図で示すように、同吸込口２ａから吸入された空気中の塵埃を除去するフィルタ９が着脱自在に装着されている。前記吸込口２ａと前記上部吹出口６及び下部吹出口７とを結ぶ、矢印で示す空気流路には、上部熱交換器１０と下部熱交換器１１とからなる上下に分離された熱交換器が設けられ、前記上部熱交換器１０の下方には、これから滴下する凝縮水を受ける露受皿１７が設けられている。また、上下二段に配設された上部送風ファン１２と下部送風ファン１３とが設けられ、前記吸込口２ａの裏面中央には、本体の幅方向に沿って細長矩形状に形成された電装品箱１４が設けられている。
．前記吸込口２ａから吸込まれた室内の空気は、矢印で示すように上下の流れとなり、上側の空気の流れは前記上部熱交換器１０で熱交換された後、前記上部送風ファン１２により風向偏向板６ａを備えた上部吹出口６より室内に送出され、下側の空気の流れは前記下部熱交換器１１で熱交換された後、前記下部送風ファン１３により風向偏向板７ａを備えた下部吹出口７より室内に送出されるようになっている。
【００１４】
前記上部熱交換器１０と前記下部熱交換器１１は、平行して並べられた多数のフィンと、同フィンに直交するように配設された蛇行状の伝熱管とからなり、前記上部熱交換器１０は垂直部１０ａと、下端部が後方に位置する前方傾斜部１０ｂとからなり、前記下部熱交換器１１は、上端部が後方に位置する後方傾斜部１１ａと、垂直部１１ｂとからなっている。また、前記電装品箱１４は、前記前方傾斜部１０ｂと前記後方傾斜部１１ａとの狭間に位置するように配置されている。
【００１５】
前記上部送風ファン１２及び下部送風ファン１３は、両端部に位置するプレート間に複数枚のブレードを配設したクロスフローファンからなり、前記上部送風ファン１２と下部送風ファン１３とではブレードの向きが逆方向であるとともに、回転方向も互いに逆方向に回転するようになっている。
【００１６】
前記上部送風ファン１２を回転駆動する上部ファンモータ１５は、図３の斜視図で示すように、前記背面パネル５の右側上部に配設され、回転軸を前記上部送風ファン１２に接続させるようになっている。同様に、前記下部送風ファン１３を回転駆動する下部ファンモータ１６は、前記背面パネル５の左側下部に配設され、回転軸を前記下部送風ファン１３に接続させるようになっている。
【００１７】
前記上部送風ファン１２及び下部送風ファン１３は同構造の送風ファンであるが、送風方向を異ならせるようにするため、回転方向が逆方向となるように配置されており、よってファンモータの配置も逆となっている。回転方向が逆方向となるように配置され、且つファンモータの配置も逆となっていることにより、これら上部送風ファン１２及び下部送風ファン１３は共通化した送風ファンを使用することができ、また、前記上部ファンモータ１５及び前記下部ファンモータ１６自体も共通のファンモータを使用することができるようになっている。
【００１８】
前記電装品箱１４は、前記上部送風ファン１２を駆動する上部ファンモータ１５及び前記下部送風ファン１３を駆動する下部ファンモータ１６の中間となる位置に、前記露受皿１７に支持されて配置されており、前記上部ファンモータ１５及び前記下部ファンモータ１６からは前記電装品箱１４に収納される制御基板１４ａに接続されるリード線１５ａ及びリード線１６ａが夫々導出されている。前記電装品箱１４が、前記上部ファンモータ１５及び前記下部ファンモータ１６の中間に位置することにより、図４で示すように、リード線１５ａ及びリード線１６ａは同一長さＡのリード線を共通して使用できるようになっており、これにより、前記上部ファンモータ１５と前記下部ファンモータ１６はリード線も含めて同一仕様のファンモータを使用することができるようになっている。このように、ファンモータを共通して使用できることにより空気調和機の組立作業時における誤装着、誤組立等の不具合を低減するとともに、部品コストの低減も図れ、また、部材管理も容易となっている。
【００１９】
また、電装品箱１４が本体の幅方向に横長形状に形成されるとともに、前記熱交換器１０、１１側でなく前記吸込口２ａの裏面に位置することにより、同吸込口２ａから吸入される空気に対する通風抵抗を極力低減できるようになっている。また、床置型空気調和機は、上記したように、前記吸込口２ａから吸入された空気が上下二層流となるので、その境界部位に前記電装品箱１４が位置することにより、通風抵抗の増加も極力防止できるようになっている。
【実施例２】
【００２０】
次に、第二実施例を示す。送風ファンやファンモータの配置は第一実施例と同じである。第二実施例の床置型空気調和機１’は、図５で示すように、上部送風ファン１２から下部送風ファン１３に渡って熱交換器１８を形成している。また、支持金具１８ａによりに同熱交換器１８の前面に電装品箱１９を支持するようになっている。また、上部送風ファン１２から下部送風ファン１３に渡って熱交換器１８を形成することにより、分割した場合に比較し空気調和機の組立作業が容易となっている。
【００２１】
以上、説明したように前記吸込口２ａの裏面中央に、電装品箱１４を配置させることにより上下のファンモータの部品共通化をはかることができ誤組立の低減とともに部品コストの低減もはかれるようになっている。また、電装品箱１４を細長矩形状に形成し、上下熱交換器の境界部位に位置させることにより通風抵抗の増加も極力を防止できるようにした床置型空気調和機とすることができるようになっている。
【図面の簡単な説明】
【００２２】
【図１】本発明による空気調和機を示す外観斜視図である。
【図２】本発明の第一実施例による空気調和機の断面側面図である。
【図３】本発明による空気調和機の要部斜視図である。
【図４】電装品箱とファンモータとの接続を示す説明図である。
【図５】本発明の第二実施例による空気調和機の断面側面図である。
【図６】（Ａ）は従来の空気調和機の正面からの説明図である。
【００２３】
（Ｂ）はの従来の空気調和機の断面側面図である。
【符号の説明】
【００２４】
１  空気調和機
２  前面パネル
２ａ  吸込口
３  パネルＲ
４  パネルＬ
５  背面パネル
６  上部吹出口
６ａ  風向偏向板
７  下部吹出口
７ａ  風向偏向板
８  表示部
９  フィルタ
１０  上部熱交換器
１０ａ  垂直部
１０ｂ  傾斜部
１１  下部熱交換器
１１ａ  傾斜部
１１ｂ  垂直部
１２  上部送風ファン
１３  下部送風ファン
１４  電装品箱
１４ａ  制御基板
１５  上部ファンモータ
１５ａ  リード線
１６  下部ファンモータ
１６ａ  リード線
【図１】
2008309368.tif 000003
【図２】
2008309368.tif 000004
【図３】
2008309368.tif 000005
【図４】
2008309368.tif 000006
【図５】
2008309368.tif 000007
【図６】
2008309368.tif 000008